(57)【特許請求の範囲】
【請求項１】
プラグの一対の栓刃それぞれが挿入される２つの栓刃挿入口を一表面側に備えた配線器具の栓刃挿入部を露出させる開口部が貫設されたプレート本体部と、前記プレート本体部を装着する枠状のプレート枠と、該プレート枠の前記プレート本体部と反対側に設けられたパッキンプレートとを有する配線器具用プレートであって、
前記パッキンプレートは、前記栓刃挿入部と当接するパッキン部と、前記プレート枠の外周部と当接するパッキンと、前記パッキン部と前記パッキンとが突出して設けられたパッキンプレート本体とを備え、前記パッキン部と前記パッキンと前記パッキンプレート本体とが一体に成形されており、
前記プレート本体部は、前記開口部における内縁部において、前記パッキン部が前記プレート本体部の表面側に突出し、
前記プレート本体部は、該プレート本体部の裏面側における前記プレート本体部の外周部にパッキンが位置していることを特徴とする配線器具用プレート。
【請求項２】
所定のモジュール寸法の前記配線器具と、該配線器具が少なくとも一つ取り付けられた取付枠と、該取付枠を覆ってなる請求項１の配線器具用プレートとを備えたことを特徴とする配線装置。
【発明の詳細な説明】
【技術分野】
【０００１】
本発明は、プラグの一対の栓刃それぞれが挿入される２つの栓刃挿入口を一表面側に備えた配線器具の一表面を露出することが可能な配線器具用プレートおよびそれを用いた配線装置に関するものである。
【背景技術】
【０００２】
従来より、壁面や床面などの施工面側にコンセントなどの配線器具を配設するため、施工面に埋設した埋込ボックス内に、配線器具の一部を収納させて取り付ける配線装置が提供されている。
【０００３】
この種の配線装置は、たとえば、配線器具が取り付けられた取付枠を備え、取付枠に取り付けた配線器具の一部を施工面側の埋込ボックスに埋め込む形で収納し、埋込ボックスに取付枠を固定して設置される。また、配線装置は、取付枠の前面側に取付枠における配線器具の一部を露出する形でプレート枠が設けられ、プレート枠に配線装置の見栄えをよくする化粧用プレートが装着されている。配線装置は、プレート枠と化粧用プレートとを合わせて配線器具用プレートを構成している。
【０００４】
ところで、近年、屋内の台所や風呂場周辺など水周りに近い場所でも使用される負荷機器である据置型の電化製品（たとえば、炊飯器、浄水器、食器洗浄機や乾燥機など）が増えてきている。据置型の電化製品は、たとえば、屋内の埋込型のコンセントに、据置型の電化製品のプラグを接続したまま設置して使用されることが多い。そのため、埋込型のコンセントは、水周り付近での設置の要望が強い。
【０００５】
しかしながら、屋内の埋込型のコンセントには、現状、防水対策が施されたものは知られていない。水周りに近い場所で使用する据置型の電化製品が電気的に接続される埋込型のコンセントは、プラグを差し込んだ状態でも埋込型のコンセントに水や水蒸気が付着する恐れも多分にあり、感電や漏電の恐れも排除できない。特に、流し台やレンジ台などをワークトップで一体成形したシステムキッチンや台所の中央に調理設備の一部を島状に配置するアイランドキッチンでは、水の飛散の可能性が高く、システムキッチンやアイランドキッチン自体に埋込型のコンセントを設置できない場合も多い。
【０００６】
一方、防水機能を有するコンセントを備えたテーブルタップが開発されている。
【０００７】
この種のテーブルタップとして、たとえば、図５に示すテーブルタップ５０のように、プラグ（図示していない）の一対の栓刃それぞれが挿入される２つ栓刃挿入口２１ａ，２１ａを一表面側に備えたユニットボディ５７をボディ５０ａａとカバー５０ａｂとからなる筐体５０ａの内部に収容し、ユニットボディ５７の一表面を露出させる開口部をカバー５０ａｂに貫設などさせたものが知られている（たとえば、特許文献１を参照）。
【０００８】
テーブルタップ５０のカバー５０ａｂは、開口部の内縁部側でユニットボディ５７とパッキン部４ａとを一体成形させて防水性を確保している。パッキン部４ａは、一対の栓刃挿入口２１ａ，２１ａを囲繞するとともに栓刃挿入口２１ａ，２１ａに挿入された栓刃を有するプラグの外周に密着する周壁部４ａｄと、一対の栓刃挿入口２１ａ，２１ａ間におけるユニットボディ５７の露出面を分断するように周壁部４ａｄにおける内側壁の一部同士に架設された架設部４ａｅとを備えて防水性を高めている。なお、テーブルタップ５０には、ブッシング部５９が付いた電源コード５８を接続させている。
【０００９】
そのため、埋込型のコンセントは、上述の特許文献１の防水機能を有するコンセントを備えたテーブルタップを用いて、水周りに近い場所で使用される据置型の電化製品を電気的に接続させることで、埋込型のコンセントに水が掛かる恐れを低減することも考えられる。
【先行技術文献】
【特許文献】
【００１０】
【特許文献１】特開２００７−３１７５６２号公報
【発明の概要】
【発明が解決しようとする課題】
【００１１】
しかしながら、埋込型のコンセントと据置型の電化製品とをテーブルタップを介して電気的に接続させた場合、埋込型のコンセントの周辺では、据置型の電化製品の電源コードと、テーブルタップからの電源コードとが煩雑な印象を与える。また、埋込型のコンセントと据置型の電化製品とをテーブルタップを介して電気的に接続させた場合、使用者が手や足などでテーブルタップの電源コードを引っ掛けられる恐れも考えられる。さらに、埋込型のコンセントは、水が掛かる恐れを排除するため、埋込型のコンセントが設置される位置も限られる。
【００１２】
本発明は上記事由に鑑みて為されたものであり、その目的は、比較的簡単な構造で、埋込型のコンセントに防水対策を施すことが可能な配線器具用プレートおよび配線装置を提供することにある。
【課題を解決するための手段】
【００１３】
本発明の配線器具用プレートは、プラグの一対の栓刃それぞれが挿入される２つの栓刃挿入口を一表面側に備えた配線器具の栓刃挿入部を露出させる開口部が貫設されたプレート本体部と、上記プレート本体部を装着する枠状のプレート枠と、該プレート枠の上記プレート本体部と反対側に設けられたパッキンプレートとを有する配線器具用プレートであって、上記パッキンプレートは、上記栓刃挿入部と当接するパッキン部と、上記プレート枠の外周部と当接するパッキンと、上記パッキン部と上記パッキンとが突出して設けられたパッキンプレート本体とを備え、上記パッキン部と上記パッキンと上記パッキンプレート本体とが一体に成形されており、上記プレート本体部は、上記開口部における内縁部において、上記パッキン部が上記プレート本体部の表面側に突出し、上記プレート本体部は、該プレート本体部の裏面側における上記プレート本体部の外周部にパッキンが位置していることを特徴とする。
【００１５】
本発明の配線装置は、所定のモジュール寸法の上記配線器具と、該配線器具が少なくとも一つ取り付けられた取付枠と、該取付枠を覆ってなる上述の配線器具用プレートとを備えたことを特徴とする。
【発明の効果】
【００１６】
本発明の配線器具用プレートでは、比較的簡単な構造で、埋込型のコンセントに防水対策を施すことが可能な配線器具用プレートを提供できるという効果がある。
【００１７】
本発明の配線装置では、比較的簡単な構造で、埋込型のコンセントに防水対策を施すことが可能な配線装置を提供できるという効果がある。
【図面の簡単な説明】
【００１８】
【図１】本実施形態の配線装置を示す正面図である。
【図２】同上の配線装置を示す表面側の分解斜視図である。
【図３】同上の配線装置を示す裏面側の分解斜視図である。
【図４】同上の別の配線装置を示す正面図である。
【図５】従来のテーブルタップを示す斜視図である。
【発明を実施するための形態】
【００１９】
以下、本実施形態の配線器具用プレート１およびそれを用いた配線装置１０について、図１ないし図３に基づいて説明する。なお、図中において、同じ部材に対しては、同じ番号を付して重複する説明を省略する。
【００２０】
本実施形態の配線装置１０は、図示していない有底の矩形筒状の埋込ボックスなどへ埋設することが可能なものである。配線装置１０は、たとえば、複数個（ここでは、２個）の配線器具たるコンセント２，２を備え、外部の負荷機器へ電力を給電することが可能に構成されている。
【００２１】
配線装置１０の配線器具用プレート１は、図１に示すように、図示していないプラグの一対の栓刃それぞれが挿入される２つの栓刃挿入口２１ａ，２１ａを一表面側に備えたコンセント２の一表面を露出させる開口部１ｂ（図２を参照）が貫設されたプレート本体部１ａを有している。プレート本体部１ａは、外形が矩形の板形状であって、開口部１ｂの内縁部１ｃ側でコンセント２と当接することが可能なパッキン部４ａを備えている。本実施形態の配線装置１０における配線器具用プレート１では、コンセント２の一表面を露出させる開口部１ｂを、２つコンセント２，２ごとにそれぞれ設けている。
【００２２】
ここで、配線装置１０は、図２に示すように、コンセント２と、コンセント２が取り付けられる取付枠５を備えている。また、配線装置１０は、取付枠５を覆いパッキンプレート本体３ｃを介して取付枠５と反対側に設けられるパッキン部４ａを備えたパッキンプレート３と、パッキンプレート３と当接しパッキンプレート３のパッキン部４ａを貫装させる貫通口６ａが中央部に貫設されたプレート枠６と、プレート枠６と係合して装着され配線装置１０の前面側における化粧プレートとなるプレート本体部１ａとを備えている。そして、配線器具用プレート１は、パッキン部４ａを有するパッキンプレート３と、プレート枠６と、プレート本体部１ａとで構成している。
【００２３】
ここで、配線器具たるコンセント２は、たとえば、内部が空洞で上下に分離可能なカバー部２０ａとボディ部２０ｂとを嵌め合わせて略直方体状とした合成樹脂製の器具本体２０を備えた構成としている。コンセント２は、器具本体２０におけるカバー部２０ａの表面２０ａａ側から突出した平面視が矩形状の栓刃挿入部２１に、プラグの一対の栓刃がそれぞれ挿入される２つの栓刃挿入口２１ａ、２１ａを設けている。また、コンセント２は、栓刃挿入部２１よりも小さく、カバー部２０ａの表面２０ａａ側から突出した平面視が矩形状の接地極部２２に、プラグの接地極が挿入可能な一つの接地極挿入口２２ａを設けている。なお、コンセント２の機能面となる栓刃挿入部２１および接地極部２２は、プレート本体部１ａの開口部１ｂから配線器具用プレート１の表面側にプレート本体部１ａの表面と略面一に露出させている。
【００２４】
コンセント２は、カバー部２０ａとボディ部２０ｂとを嵌め合わせて器具本体２０を構成させた場合、カバー部２０ａの突出部２０ａｂと、ボディ部２０ｂの突出部２０ｂｂとが一体となるように構成している。コンセント２は、器具本体２０におけるカバー部２０ａの突出部２０ａｂとボディ部２０ｂの両側端から突出した突出部２０ｂｂとが、金属製の係合片２３によって結合されている。
【００２５】
係合片２３は、カバー部２０ａの突出部２０ａｂと当接する中央片２３ａと、該中央片２３ａの両端部からそれぞれボディ部２０ｂ側に延設する延設片２３ｂと、一対の延設片２３ｂ，２３ｂの先端部それぞれが互いに近づく向きに折り曲げられた折曲片２３ｃ，２３ｃとを備えている。すなわち、係合片２３は、外形が略Ｃ字形状となっており、カバー部２０ａの両側端から突出した突出部２０ａｂと、ボディ部２０ｂの両側端から突出した突出部２０ｂｂとを、係合片２３の中央片２３ａ、一対の延設片２３ｂ，２３ｂおよび折曲片２３ｃ，２３ｃで抱え込むように保持している。また、係合片２３は、中央片２３ａの両端側の端部に器具本体２０を取付枠５側に取り付けるため、器具本体２０の両側壁側から外側に突出する一対の係合爪２３ｄ，２３ｄを備えている。
【００２６】
なお、コンセント２は、器具本体２０の内部に、埋込ボックス側から導出する図示していない電源線と接続される端子部（図示していない）と刃受けばねとが一体に設けられた刃受ばねブロックを収納しており、ボディ部２０ｂの後面側に上記電源線が挿入可能な複数個（ここでは、６個）の端子孔２５ａが設けられている（図３を参照）。また、コンセント２は、プラグが差し込まれていないときに外部から栓刃挿入口２１ａ、２１ａを介して器具本体２０の内部に塵芥などの異物が浸入することを防止する開閉自在な扉２４ａ，２４ａを、栓刃挿入口２１ａ、２１ａを塞ぐように器具本体２０の内部側に設けている。同様に、コンセント２は、プラグが差し込まれていないときに外部から接地極挿入口２２ａを介して器具本体２０の内部に塵芥などの異物が浸入することを防止する開閉自在な扉２４ｂを、接地極挿入口２２ａを塞ぐように器具本体２０の内部側に設けている。なお、２個のコンセント２は、それぞれ同一形状であって、略同一の大きさに形成させている。コンセント２は、日本工業規格（ＪＩＳＣ ８３０３を参照）に準拠した大きさであって、所定のモジュール寸法として、一連用の取付枠５の取付孔５ａに３個まで並べて取付可能なモジュール寸法の１個分の大きさ（１個モジュール寸法）に形成されている。
【００２７】
コンセント２が取り付けられる取付枠５は、たとえば、電気絶縁性の樹脂材料を用いて形成されており、図２に示すように、矩形平板状の枠体部５ｂの平面視長方形状における外形と略相似形の取付孔５ａを中央部に貫設されている。取付枠５は、枠体部５ｂにおける長辺側の両側端部に該側端部に沿って裏面側に向かって突出する側突片５ｃ、５ｄが枠体部５ｂに設けられている。
【００２８】
また、一方の側突片５ｃには、それぞれ複数個（ここでは、６個）の矩形状の係合孔５１ａが側突片５ｃの長手方向に沿って所定の間隔で横並びに貫設されている。さらに、他方の側突片５ｄには、それぞれ複数個（ここでは、６個）の矩形状の固定孔５１ｂが側突片５ｄの長手方向に沿って所定の間隔で横並びに貫設されている（図３を参照）。さらにまた、枠体部５ｂの短辺側の両端部には、枠体部５ｂから突出する固定片５２，５２が設けられている。各固定片５２には、コンセント２を取り付けた取付枠５を固定螺子（図示していない）により、埋込ボックスに螺子止めするための螺子挿通孔５２ｂが貫設されている。同様に、各固定片５２には、木質壁などの施工面に螺入する螺子を用いて取付枠５を直付けする場合のために、直付け用の螺子を挿通する螺子挿通孔５２ｃが貫設している。また、各固定片５２が設けられる枠体部５ｂの短辺側の端部には、施工面が石膏ボードのようなパネル材であるときに使用するはさみ金具（図示せず）の一端部を係止するはさみ金具取付孔５２ｄも貫設されている。
【００２９】
ここで、各側突片５ｃ、５ｄに貫設された各係合孔５１ａや各固定孔５１ｂは、上述したコンセント２における係合爪２３ｄ、２３ｄが係合することが可能な大きさに形成している。また、取付枠５の側突片５ｃは、枠体部５ｂに対して固定されており、取付枠５の側突片５ｄは、枠体部５ｂに対して弾性力により可動が可能な構成としている。コンセント２は、器具本体２０の一方の側壁側から突出する一対の係合爪２３ｄ，２３ｄを側突片５ｃの係合孔５１ａ，５１ａに挿入させる。また、コンセント２は、器具本体２０の他方の側壁側から突出する一対の係合爪２３ｄ，２３ｄを、側突片５ｄを可動させて側突片５ｄの固定孔５１ｂ，５１ｂに係合させる。これにより、コンセント２は、取付枠５に取り付けられ固定される。
【００３０】
なお、取付枠５は、中央部に貫設されている長方形状の取付孔５ａが、複数個（ここでは、３個以下）のコンセント２を挿入し配列して取り付けられるように、複数個のコンセント２を密接して配列させた外形よりも若干大きく形成している。ここでは、取付枠５は、取付枠５における取付孔５ａの長手方向に沿って複数個（ここでは、３個以下）のコンセント２を配列して取り付けることができるように、複数個（ここでは、６個）の同一形状の係合孔５１ａを所定の等間隔で設けている。
【００３１】
このような取付枠５は、加熱溶融させた電気絶縁性の樹脂材料を金型内に射出注入し、冷却固化させる射出成形により一体成形品として形成することができる。また、取付枠５は、金属平板に取付孔５ａ、係合孔５１ａや固定孔５１ｂを金型の打ち抜きより形成させる打ち抜き加工工程を、押圧により取付枠５の側突片５ｃ，５ｄを屈曲させて形成させる屈曲工程を設けて形成するものでもよい。
【００３２】
次に、配線器具用プレート１のプレート本体部１ａは、合成樹脂材料（たとえば、ユリア樹脂など）を用いて形成することができる。プレート本体部１ａは、プレート本体部１ａの後面側において、プレート枠６の周部に設けられた複数個（ここでは、６個）の係合孔６１ａとそれぞれ係合して保持される保持爪部１１ａ（図３を参照）がプレート本体部１ａの長手方向に沿って突設されている。配線器具用プレート１は、各保持爪部１１ａと、各保持爪部１１ａに対応する係合孔６１ａとをそれぞれ係合させることによって、プレート本体部１ａをプレート枠６側に位置決めして装着させる。
【００３３】
本実施形態の配線装置１０における配線器具用プレート１は、プレート本体部１ａにおける各開口部１ｂの内縁部１ｃ側で、コンセント２の栓刃挿入部２１、接地極部２２およびカバー部２０ａの表面２０ａａとそれぞれ当接するパッキン部４ａが備えられる構成としている。ここで、配線器具用プレート１のパッキン部４ａは、プレート本体部１ａにおける各開口部１ｂの内縁部１ｃ側で、コンセント２側と当接することにより、プレート本体部１ａの表面側から裏面側への水の浸入を抑制ことが可能としている。また、パッキン部４ａは、コンセント２の栓刃挿入部２１および接地極部２２をそれぞれ囲繞し、配線器具用プレート１の表面側で当接するプラグの外周形状に略沿った外形形状としている。
【００３４】
配線器具用プレート１は、プレート本体部１ａの裏面側におけるプレート本体部１ａの外周部に位置するパッキン４ｂを備え、パッキン部４ａがパッキン４ｂと一体に成形されたパッキンプレート３を有している。なお、パッキンプレート３のパッキン４ｂが、プレート本体部１ａの外周部におけるプレート本体部１ａの表面側から裏面側への水の浸入を抑制することが可能となる。
【００３５】
パッキンプレート３は、パッキンプレート３の外形がプレート本体部１ａやプレート枠６の外周形と略同じ大きさとしている。パッキンプレート３は、パッキンプレート本体３ｃの一表面３ｃａにおける中央部において、平面視が矩形状で一表面３ｃａから突出した第１の突出部３ｄを備えている。パッキンプレート３は、第１の突出部３ｄの中心部において、平面視が第１の突出部３ｄよりも小さい矩形状の第２の突出部３ｅを第１の突出部３ｄから突出させている。パッキンプレート３は、コンセント２が取り付けられる取付枠５と、化粧プレートとなるプレート本体部１ａを装着するためのプレート枠６との間に設けられている。なお、プレート枠６は、パッキンプレート３を介して、取付枠５とプレート本体部１ａとを繋ぐ継枠であって外周形の大きさがプレート本体部１ａの外周形の大きさと略同一で内部に貫通口６ａを備えた枠状に形成している。
【００３６】
パッキンプレート３は、平面視において、パッキンプレート３の一対の螺子挿入孔３２ａ，３２ａの位置と、取付枠５の一対の螺子挿入孔５２ａ，５２ａの位置と、プレート枠６の一対の螺子挿入孔６２ａ，６２ａの位置とを合わせて重ねることができるように構成している。パッキンプレート３は、取付枠５とプレート枠６との間に、取付枠５を覆って設けられる。これにより、配線装置１０は、コンセント２を取り付けた取付枠５と、パッキンプレート３と、プレート枠６とを一体として、固定螺子により、埋込ボックスに固定することができる。
【００３７】
ここで、パッキンプレート３は、第２の突出部３ｅの外周の大きさをプレート枠６の貫通口６ａの大きさよりも若干大きくし、第２の突出部３ｅを貫通口６ａに挿通することにより第２の突出部３ｅの弾性力で貫通口６ａの内周面に弾接して防水可能な寸法としている。また、パッキンプレート３は、プレート本体部１ａの裏面側におけるプレート本体部１ａの外周部に位置し一表面３ｃａ側から突出したパッキン４ｂがプレート枠６の外周部６ｃと当接することにより、プレート本体部１ａの表面側から裏面側への水の浸入を抑制することが可能な構成としている。パッキンプレート３は、コンセント２の栓刃挿入部２１および接地極部２２をそれぞれ個別に囲繞しプレート本体部１ａの開口部１ｂにおける内縁部１ｃ側で、コンセント２と当接するパッキン部４ａを第２の突出部３ｅに備えている。パッキン部４ａは、コンセント２の栓刃挿入部２１や接地極部２２と当接する内側パッキン部４ａａを備えている。また、パッキン部４ａは、プレート本体部１ａの表面側から突出して設けられている。パッキン部４ａは、プラグの外周面と接しプラグの外周を囲繞する外側パッキン部４ａｃと、外側パッキン部４ａｃよりも内側の内側パッキン部４ａａと、内側パッキン部４ａａと外側パッキン部４ａｃとの間に内側パッキン部４ａａおよび外側パッキン部４ａｃそれぞれよりもプレート本体部１ａ側からの突出高さが低い窪みパッキン部４ａｂとを備えている。
【００３８】
パッキン部４ａは、内側パッキン部４ａａ、窪みパッキン部４ａｂおよび外側パッキン部４ａｃを備えているため、パッキン部４ａとプラグとの密着性が高まり、プレート本体部１ａの表面側から裏面側への水の浸入をより抑制することが可能となる。また、パッキンプレート３は、図３に示すように、パッキンプレート３の裏面側で取付枠５の固定片５２と当接する裏面側の他表面３ｆと、他表面３ｆから表面側に向かって窪み取付枠５の枠体部５ｂを収容可能な窪部３ｇとを備え、取付枠５が収納できるように構成している。
【００３９】
パッキンプレート３は、パッキンプレート３の材料として樹脂材料を用いて形成することができる。パッキンプレート３は、パッキンプレート本体３ｃと、パッキン部４ａおよびパッキン４ｂとを同じ材料を用いて構成することができる。また、パッキンプレート３は、パッキンプレート３のパッキン部４ａとパッキン４ｂとをエラストマー（たとえば、シリコーン樹脂など）を用いパッキンプレート本体３ｃの樹脂材料と異なる材料で構成してもよい。パッキンプレート３は、パッキンプレート本体３ｃの樹脂材料と異なる材料で構成しても、パッキン部４ａとパッキン４ｂとをエラストマー（たとえば、シリコーン樹脂など）を用いて一体成形させて形成することもできる。なお、配線器具用プレート１は、必ずしもパッキンプレート３は必要ではなく、パッキン部４ａと、パッキン４ｂとを個別に備えたものでもよい。
【００４０】
本実施形態の配線装置１０は、配線器具として、接地極挿入口２２ａを備えた２個のコンセント２をコンセント２の一対の栓刃挿入口２１ａ，２１ａの配列方向に沿って配置した例で説明したが、これに限られるものではない。配線装置１０は、たとえば、図４に示すように、接地極挿入口２２ａを有する接地極部２２を備えていない２個のコンセント２を、コンセント２の一対の栓刃挿入口２１ａ，２１ａの配列方向と垂直方向に配置させたものでもよい。また、配線装置１０は、配線器具として少なくとも１個のコンセント２を備えていればよく、コンセント２に加えて、使用目的などに応じて適宜にスイッチなど他の配線器具を備えていてもよい。コンセント２以外の配線器具としては、スイッチのほか、たとえば、図示していないが、ＴＶプラグのピンが差し込まれるピン挿入孔を前面側に開設したＴＶコンセント、電話機用のモジュラーコンセント、光コードコネクタなど様々な種類の配線器具が挙げられる。いずれにしろ、プレート本体部１ａの開口部１ｂの内縁部１ｃは、各種の配線器具と当接しプレート本体部１ａの表面側から裏面側への水の浸入を抑制することが可能なパッキン部４ａを備えていればよい。また、配線装置１０は、コンセント２の配列方向の大きさを、所定のモジュール寸法として、複数種類のコンセント２が取付枠５の取付孔５ａに配列して取り付けることができるように、コンセント２の所定のモジュール寸法を基に取付孔５ａの寸法を決めればよい。たとえば、コンセント２は、取付枠５にコンセント２の種類や仕様などに応じて適宜配列できるように、コンセント２の配列方向における大きさを１個モジュール寸法や、当該１個モジュール寸法の１．５倍、２倍、３倍などの大きさのものを用いてもよい。本実施形態の配線装置１０では、図２に示すコンセント２と同一形状の３個のコンセント２を、図２に示す取付枠５に取り付けることもできる。この場合、配線装置１０は、３個のコンセント２を表面に配置することが可能な配線器具用プレート１を備えればよい。
【００４１】
次に、配線装置１０の施工手順について説明する。まず、コンセント２を取付枠５に取付する。このとき、コンセント２は、器具本体２０の一方の側壁側から外側に突出する一対の係合爪２３ｄ、２３ｄを、対応する取付枠５の側突片５ｃにおける一対の係合孔５１ａ、５１ａに係合させる。次に、コンセント２は、器具本体２０の他方の側壁側から外側に突出する一対の係合爪２３ｄ、２３ｄを、対応する取付枠５の側突片５ｄにおける固定孔５１ｂに嵌め合わせて固定する。これにより、コンセント２は、栓刃挿入口２１ａ，２１ａが備えられた栓刃挿入部２１の一表面および接地極挿入口２２ａを備えた矩形状の接地極部２２の一表面を取付孔５ａの前面側に突出させた状態で取付枠５に取り付けられる。すなわち、コンセント２は、コンセント２の一表面が取付孔５ａを通して取付枠５の前面側に露出される。
【００４２】
次に、配線をコンセント２の端子孔２５ａに挿入して電気的に接続させた後、取付枠５は、取付枠５に取付されたコンセント２の後部側を埋込ボックス内に埋め込む形で埋込ボックスの前面側に配置する。取付枠５は、取付枠５の固定片５２，５２に設けられた各螺子挿通孔５２ｂ，５２ｂにそれぞれ固定螺子を挿通し、埋込ボックス側に螺子締めして固定する。
【００４３】
続いて、取付枠５上にパッキンプレート３およびプレート枠６を配置させ、プレート枠６、パッキンプレート３および取付枠５は、一体として埋込ボックス側に螺子により固定される。
【００４４】
そして、プレート枠６の表面側では、パッキンプレート３のパッキン部４ａと、プレート本体部１ａの開口部１ｂにおける内縁部１ｃとを当接させて、プレート本体部１ａをプレート枠６に係合して固定する。これにより、取付枠５を覆った配線器具用プレート１が設けられた配線装置１０の施工が完了する。
【符号の説明】
【００４５】
１  配線器具用プレート
１ａ  プレート本体部
１ｂ  開口部
１ｃ  内縁部
２  コンセント（配線器具）
４ａ  パッキン部
４ｂ  パッキン
２１ａ，２１ａ  栓刃挿入口
５  取付枠
１０  配線装置
【図１】
0005584609.tif 000002
【図２】
0005584609.tif 000003
【図３】
0005584609.tif 000004
【図４】
0005584609.tif 000005
【図５】
0005584609.tif 000006